(57)【特許請求の範囲】
【請求項１】
放電ランプが装着され、該放電ランプを取り囲む内壁面に光を反射させる凹面鏡が設けられ、該凹面鏡の開口部を透光性の前面カバーで覆うと共に、該前面カバーの外側に破損時の破片の落下を防ぐ保護網を被せたケース本体を備える投光器において、
前記放電ランプと前記前面カバーとの間に、前記放電ランプの破裂時における破片を受け止める衝撃吸収網を備え、
前記ケース本体は、据え付け位置に支持され前記凹面鏡を含む前枠部と、該前枠部の後端に開閉可能に連結され前記放電ランプが装着される基体部と、から成り、
前記衝撃吸収網は、外周縁を成すリングと、該リングの内側に設けられた網とを有し、該網は、平板状に形成された平板状部分と、該平板状部分に連なり、該平板状部分を支持した状態で前記リングに連結された細幅状の脚部とから成り、
前記衝撃吸収網は、前記前枠部と前記基体部との間に挟持された状態で取り付けられたことを特徴とする投光器。
【請求項２】
前記衝撃吸収網は、前記脚部が前記リングに連結された部分から前記平板状部分にかけて前面側へ向って出っ張るドーム状に形成されたことを特徴とする請求項１に記載の投光器。
【請求項３】
前記前枠部の後端開口に、前記凹面鏡の後端縁がリング状に出っ張り、前記衝撃吸収網の外周縁に沿って、前記凹面鏡の後端縁に掛止可能なフックを所定間隔おきに複数設け、
前記フックを前記凹面鏡の後端縁に掛止することで、前記前枠部の後端開口に前記衝撃吸収網を仮止めした後、その上から前記基体部を合わせて閉じることにより、前記衝撃吸収網は、前記前枠部と前記基体部との間に挟持された状態で取り付けられることを特徴とする請求項１または２に記載の投光器。
【発明の詳細な説明】
【技術分野】
【０００１】
本発明は、光源に放電ランプを用いた投光器に関し、特に、放電ランプが装着され、該放電ランプを取り囲む内壁面に光を反射させる凹面鏡が設けられ、該凹面鏡の開口部を透光性の前面カバーで覆うと共に、該前面カバーの外側に破損時の破片の落下を防ぐ保護網を被せたケース本体を備えた投光器に関する。
【背景技術】
【０００２】
従来より一般に投光器は、光源として高輝度高効率等の特長を有するメタルハライドランプが使われているが、メタルハライドランプは、点灯時に発光管内の圧力が高くなるという特性がある。このため、メタルハライドランプの経年劣化が進んだ寿命末期にはランプが破裂する可能性があり、破裂した場合には破片が飛散して前面ガラスに衝突し、さらに前面ガラスまで破損する虞があった。
【０００３】
万一、ランプが破裂して前面ガラスまで破損すると、ガラスの破片が地上に落下することがある。このため、従来からメタルハライドランプの発光管が破裂したとしても、ランプ外に影響を与えないようにするための様々な安全対策が施されてきた。具体的な安全対策としては、例えば、発光管を内蔵した外管の表面を光散乱物質で覆ったり（例えば、特許文献１参照。）、発光管自体を光散乱物質の層で覆ったりする技術が知られている（例えば、特許文献２参照。）。
【０００４】
また、メタルハライドランプそのもの自体の工夫ではなく、これを含む装置の工夫として、放電ランプを取り囲む凹面反射鏡の前面の開口部を透光板で覆うと共に、排気口としての切り欠き部にＬ字型の排気曲管を設け、破片が直接衝突しない位置にある出口に通気可能な網を設けることにより、放電ランプが破裂した場合に、衝突の衝撃で粉砕された細かい破片が勢いで放出されるのを抑制できる光源装置も提案されている（例えば、特許文献３参照。）。
【先行技術文献】
【特許文献】
【０００５】
【特許文献１】特開平５−３２５８９７号公報
【特許文献２】特開平５−９４８０６号公報
【特許文献３】特開２００７−１７３００１号公報
【発明の概要】
【発明が解決しようとする課題】
【０００６】
しかしながら、前述したような特許文献１，２に記載のメタルハライドランプの場合には、ランプ自体の構成が複雑であるために価格が高価となり、このようなランプを光源として投光器に採用することで安全性は高められる反面、コストアップを強いられるという問題があった。
【０００７】
また、特許文献３に記載の光源装置では、装置全体の構成が投光器としても非常に複雑となるため、コストアップの要因になるばかりでなく、放電ランプが破裂した場合には、その破片が透光板に衝突して透光板が破損する虞を解消し得るものではない。従って、依然として安全対策が不十分であるという問題があった。
【０００８】
以上のような実情から、従来の投光器においては、メタルハライドランプが寿命末期に破裂することは稀であるという事実も相俟って、実際上の安全対策としては、万一ランプが破裂し、その破片が飛散して前面ガラスに衝突して前面ガラスが破損した場合に、その破片の落下を防ぐ保護網を前面ガラスの外側に被せることが一般的であった。
【０００９】
これにより、万一ランプが破裂してその衝撃で前面ガラスが割れた場合には、前面ガラスの外側にある保護網によって大きなガラスの破片の落下を防ぐことができる。しかしながら、破損した前面ガラスの小さな破片は、保護網をすり抜けて周囲に飛散したり地上に落下する虞があり、よりいっそうの安全性の確保が重要な課題であった。
【００１０】
本発明は、以上のような従来の技術の有する問題点に着目してなされたものであり、万一ランプが破裂したとしても、衝撃吸収金網でいったん衝撃を吸収することにより、前面カバーの割れはなくなり、割れたとしてもヒビが入る程度で、細かな破片が地上に落下する虞はなく、より十分に安全性を高めることができる投光器を提供することを目的としている。
【課題を解決するための手段】
【００１１】
前述した目的を達成するための本発明の要旨とするところは、以下の各項の発明に存する。  
［１］放電ランプ（２０）が装着され、該放電ランプ（２０）を取り囲む内壁面に光を反射させる凹面鏡（２１）が設けられ、該凹面鏡（２１）の開口部を透光性の前面カバー（２２）で覆うと共に、該前面カバー（２２）の外側に破損時の破片の落下を防ぐ保護網（２４）を被せたケース本体（１１）を備える投光器（１０）において、
前記放電ランプ（２０）と前記前面カバー（２２）との間に、前記放電ランプ（２０）の破裂時における破片を受け止める衝撃吸収網（３０）を備え、
前記ケース本体（１１）は、据え付け位置に支持され前記凹面鏡（２１）を含む前枠部（１２）と、該前枠部（１２）の後端に開閉可能に連結され前記放電ランプ（２０）が装着される基体部（１３）と、から成り、
前記衝撃吸収網（３０）は、外周縁を成すリング（３１）と、該リング（３１）の内側に設けられた網（３２）とを有し、該網（３２）は、平板状に形成された平板状部分（３３）と、該平板状部分（３３）に連なり、該平板状部分（３３）を支持した状態で前記リング（３１）に連結された細幅状の脚部（３４）とから成り、
前記衝撃吸収網（３０）は、前記前枠部（１２）と前記基体部（１３）との間に挟持された状態で取り付けられたことを特徴とする投光器（１０）。
【００１２】
［２］前記衝撃吸収網（３０）は、前記脚部（３４）が前記リング（３１）に連結された部分から前記平板状部分（３３）にかけて前面側へ向って出っ張るドーム状に形成されたことを特徴とする［１］に記載の投光器（１０）。
【００１５】
［３］前記前枠部（１２）の後端開口に、前記凹面鏡（２１）の後端縁がリング状に出っ張り、前記衝撃吸収網（３０）の外周縁に沿って、前記凹面鏡（２１）の後端縁に掛止可能なフック（３６）を所定間隔おきに複数設け、
前記フック（３６）を前記凹面鏡（２１）の後端縁に掛止することで、前記前枠部（１２）の後端開口に前記衝撃吸収網（３０）を仮止めした後、その上から前記基体部（１３）を合わせて閉じることにより、前記衝撃吸収網（３０）は、前記前枠部（１２）と前記基体部（１３）との間に挟持された状態で取り付けられることを特徴とする［１］または［２］に記載の投光器（１０）。
【００１６】
次に、前述した解決手段に基づく作用を説明する。  
前記［１］に記載の投光器（１０）によれば、ケース本体（１１）内の放電ランプ（２０）と前面カバー（２２）との間に、放電ランプ（２０）の破裂時における破片を受け止める衝撃吸収網（３０）を設けた。これにより、放電ランプ（２０）が万一破裂した際に、その破片は前面カバー（２２）に直接衝突することなく、衝撃吸収網（３０）によって受け止められる。
【００１７】
従って、放電ランプ（２０）の大きな破片が前面カバー（２２）に直接衝突することはなく、破片が衝撃吸収網（３０）を通過したとしても、前面カバー（２２）が割れる程の衝撃を受けることはなく、割れたとしてもヒビが入る程度で済む。これにより、前面カバー（２２）が割れた細かな破片が保護網（２４）をすり抜けて外部に落下する虞はなく、より十分な安全性を確保することができる。  
また、衝撃吸収網（３０）を、ケース本体（１１）の前枠部（１２）と基体部（１３）との間に挟持された状態で取り付けてある。これにより、ネジ等の締結部品を使用することなく、衝撃吸収網（３０）を簡単に取り付けることができる。
【００１８】
前記［２］に記載の投光器（１０）によれば、衝撃吸収網（３０）を、前面側へ向って出っ張るドーム状に形成する。このような衝撃吸収網（３０）の形状によれば、高温となる放電ランプ（２０）の放射方向に対してなるべく距離を取ることができ、また、放電ランプ（２０）の破片を、その飛散方向に対してほぼ垂直となる角度で確実に受け止めることができる。
【００１９】
また、衝撃吸収網（３０）のドーム状の外周側に、網目のない切欠部（３５）が形成されている。これにより、放電ランプ（２０）の破裂時に前方に向って飛び出す破片は、衝撃吸収網（３０）の網目のある部位で受け止められて、前面カバー（２２）に強い力が加わる略垂直方向からの衝突は吸収される。
【００２０】
一方、放電ランプ（２０）の破片は、衝撃吸収網（３０）の外周側の切欠部（３５）を通過する可能性はあるが、放電ランプ（２０）の通常の発光時における放射光をなるべく妨げないで済み、光束低下を極力防止することができる。放電ランプ（２０）の破片が万一、衝撃吸収網（３０）の外周側の切欠部（３５）を通過したとしても、かかる破片は凹面鏡（２１）に衝突して衝撃が緩和されたり、飛散する角度的にも前面カバー（２２）に強く衝突する虞はない。
【００２２】
さらに詳しくは、前記［３］に記載したように、衝撃吸収網（３０）の外周縁に沿って、凹面鏡（２１）の後端縁に掛止可能なフック（３６）を所定間隔おきに複数設けておく。そして、衝撃吸収網（３０）のフック（３６）を凹面鏡（２１）の後端縁に掛止することで、前枠部（１２）の後端開口に衝撃吸収網（３０）を仮止めした後、その上から基体部（１３）を合わせて閉じれば良い。
【００２３】
これにより、従来品のケース本体（１１）の構造を何ら追加加工することなく、そのまま利用することができる。しかも、ネジ等の締結部品は使用せずに、仮止めにより確実に位置決めすることができ、基体部（１３）で押さえ込むように閉じるだけで、非常に簡易かつ迅速に取り付けることができる。
【発明の効果】
【００２４】
本発明に係る投光器によれば、ケース本体内の放電ランプと前面カバーとの間に、放電ランプの破裂時における破片を受け止める衝撃吸収網を設けたから、放電ランプが万一破裂した際に、その破片は前面カバーに直接衝突することなく、衝撃吸収網によって受け止められる。これにより、前面カバーの割れはほとんどなくなり、割れたとしてもヒビが入る程度で、細かな破片が地上に落下する虞はなく、より十分に安全性を高めることができる。
【００２５】
また、衝撃吸収網を、ケース本体の前枠部と基体部との間に挟持された状態で取り付けることにより、従来品のケース本体の構造を何ら追加加工することなく、そのまま利用することができる。しかも、ネジ等の締結部品は使用せずに、衝撃吸収網を簡易かつ迅速に取り付けることができる。
【図面の簡単な説明】
【００２６】
【図１】本発明の実施の形態に係る投光器を示す側面図である。
【図２】本発明の実施の形態に係る投光器の主要部を示す正面図である。
【図３】本発明の実施の形態に係る投光器を示す背面図である。
【図４】本発明の実施の形態に係る投光器のケース本体を構成する基体部を開いた状態を示す側面図である。
【図５】図４中の丸囲い部Ａを拡大して示す断面図である。
【図６】本発明の実施の形態に係る投光器を構成する衝撃吸収網を示す背面図である。
【図７】本発明の実施の形態に係る投光器を構成する衝撃吸収網を示す側面図である。
【発明を実施するための形態】
【００２７】
以下、図面に基づき、本発明を代表する実施の形態を説明する。  
図１は、本実施の形態に係る投光器１０を示す側面図であり、図２は、該投光器１０の主要部を示す正面図である。図３は、該投光器１０を示す背面図である。本実施の形態に係る投光器１０は、屋内のみならず競技場等のように屋外でも照明としても使用できるものである。
【００２８】
図１〜図３に示すように、投光器１０は、放電ランプ２０が装着されるケース本体１１を備える。ケース本体１１において、放電ランプ２０を取り囲む内壁面には光を反射させる凹面鏡２１が設けられ、該凹面鏡２１の開口部は透光性の前面カバー２２で覆われている。また、前面カバー２２の外側には、破損時の破片の落下を防ぐ保護網２４が被せられている。放電ランプ２０と前面カバー２２との間に、放電ランプ２０の破裂時における破片を受け止める衝撃吸収網３０が設けられている。
【００２９】
ケース本体１１は、据え付け位置に支持され凹面鏡２１を含む前枠部１２と、該前枠部１２の後端に開閉可能に連結され放電ランプ２０が装着される基体部１３と、から成る。前枠部１２および基体部１３はそれぞれ金属製であり、図４に示すように前枠部１２の後端下側に、ヒンジ１４を介して基体部１３の下端が開閉可能に連結されている。ここで基体部１３は前枠部１２に対して、ヒンジ１４を中心として下方に回動して開くようになっている。
【００３０】
回動する側の基体部１３は、前方に開口する皿状に形成されており、その内側に放電ランプ２０を装着するためのソケット１５（図１参照）が配設されている。ソケット１５を取り囲む基体部１３の内壁面にも、放電ランプ２０の光を前方へ向けて反射させる補助凹面鏡１６が設けられている。
【００３１】
放電ランプ２０は、金属原子高圧蒸気中のアーク放電による光源であり、具体的には例えば、メタルハライドランプ、高圧水銀ランプ、高圧ナトリウムランプ等が該当する。本実施の形態では、放電ランプ２０としてメタルハライドランプを使用する。詳しく言えばメタルハライドランプは、水銀とハロゲン化金属（メタルハライド）の混合蒸気中のアーク放電による発光を利用した高輝度、省電力、長寿命のランプである。
【００３２】
前枠部１２は、前方に向かって拡開したテーパー状をなす椀状に形成されており、前記放電ランプ２０を取り囲む内壁面に光を反射させる凹面鏡２１が設けられている。凹面鏡２１は、前枠部１２の内壁面に鏡面メッキを施したり、あるいは後付けしても良く、放電ランプ２０からの直接照射された光や前記補助凹面鏡１６により反射された光を反射して開口部に向けて出射するものである。凹面鏡２１は、前記補助凹面鏡１６と連続した反射面を形成するように構成されている。
【００３３】
凹面鏡２１の開口部は、透光性の前面カバー２２で覆われている。前面カバー２２は、透光性材質により円板状に形成されており、その外周を囲む前面化粧枠２３を介して凹面鏡２１の開口部の外周縁に取り付けられている。本実施の形態に係る前面カバー２２はガラス製であるが、強化処理を施した無色透明の強化ガラス、あるいは透明性の高いアクリル樹脂で形成しても良い。
【００３４】
図２に示すように前面カバー２２の外側には、該前面カバー２２が万一破損した時の破片の落下を防ぐ保護網２４が被せられている。保護網２４は、その網目間隔が狭すぎると放射光を妨げて光束低下の原因となり、逆に広すぎると破片が隙間を抜けて外部に放出する虞が生じるから、網目間隔は適宜検討したものとなる。また、素材は金属線を溶接した金網に限らず、耐熱性のあるグラスファイバー等の網でも良い。
【００３５】
図１，図４に示すように、ケース本体１１の内部にて放電ランプ２０と前面カバー２２との間には、放電ランプ２０が万一破裂した時の破片を受け止める衝撃吸収網３０が設けられている。衝撃吸収網３０は、ケース本体１１の前枠部１２と基体部１３との間に挟持された状態で取り付けられている。図５は、図４中の丸囲い部Ａを拡大して示す断面図である。図６は、衝撃吸収網３０を示す背面図である。図７は、衝撃吸収網３０を示す側面図である。
【００３６】
衝撃吸収網３０は、前面側へ向って出っ張るドーム状に形成されている。詳しく言えば衝撃吸収網３０は、その外周縁を成す平板状のリング３１の内側に金網３２が設けられており、金網３２は、平板状の正方形部３３と、この正方形部３３の各辺に連なり、正方形部３３を支持した状態でリング３１に連結された細幅状の脚部３４とから成る。ここで正方形部３３の各辺とリング３１との間は、衝撃吸収網３０のドーム状の外周側にて網目のない切欠部３５となっている。
【００３７】
衝撃吸収網３０に切欠部３５を設けることにより、衝撃吸収網３０の面積を必要最小限に抑え、投光器１０の光学性能に対する影響を最小限に抑える構造とする。また、衝撃吸収網３０は、放電ランプ２０の光を直接受けて高温となることから金属製が好ましく、特に耐食性に優れ耐熱合金であるステンレス鋼等が適している。なお、前記保護網２４と同様に金網の代わりにグラスファイバー等の網で構成しても良い。
【００３８】
また、衝撃吸収網３０も前記保護網２４と同様に、その網目間隔が狭すぎると放射光を妨げて光束低下の原因となり、逆に広すぎると放電ランプ２０が万一破裂した時の破片が隙間を抜けて飛散する虞があるから、網目間隔は慎重に検討したものとなる。本実施の形態に係る衝撃吸収網３０の金網仕様は発明者らの鋭意検討の結果、線径はφ０．８網目寸法は１０×１０mmである。この衝撃吸収網３０の網目寸法は、前記保護網２４よりも細かく設定されている。
【００３９】
図５に示すように、前記前枠部１２の後端開口には、前記凹面鏡２１の後端縁がリング状に出っ張っており、かかる部位を何ら追加加工することなく、そのまま衝撃吸収網３０の取り付け部位として利用している。すなわち、衝撃吸収網３０の外周縁であるリング３１に沿って、凹面鏡２１の後端縁に掛止可能なフック３６を所定間隔おきに複数設けている。
【００４０】
フック３６は略コ字形断面のブラケット状であり、凹面鏡２１の後端縁の出っ張り部位にちょうど外嵌して掛止できるように構成されている。フック３６はリング３１に等間隔に合計４箇所に設けられており、各フック３６は、リング３１に対する脚部３４の下端の止着具として一体に溶接されている。なお、フック３６の具体的な形状は、凹面鏡２１の後端縁の出っ張り部位に掛止可能なものであれば、略コ字形断面に限らず他の形状に構成しても良い。
【００４１】
図４に示すように、前記各フック３６を凹面鏡２１の後端縁に掛止することで、前記前枠部１２の後端開口に衝撃吸収網３０を仮止めした後、図１に示すように、その上から前記基体部１３を合わせて閉じることにより、衝撃吸収網３０は、前枠部１２と基体部１３との間に挟持された状態で取り付けられる。なお、ケース本体１１には図示省略したが、工具を用いることなく前枠部１２に基体部１３を閉じた状態に締結できるロック機構が設けられている。
【００４２】
図１，図３に示すように、前記前枠部１２の下端部には、据え付け位置に支持するためのアーム４０および台座４１が設けられている。アーム４０の上端部には、前枠部１２を角度調整可能に支持して上下方向に照射角度を調整できるアジャスタ機構が設けられている。また、台座４１には、アーム４０の下端部を回動可能に支持して水平方向に照射方向を調整できるアジャスタ機構が設けられている。なお、それぞれのアジャスタ機構の詳細は一般的であるので構成の説明は省略する。
【００４３】
次に、本実施の形態に係る投光器１０の作用について説明する。  
図１において投光器１０は、容易に持ち運ぶことができ、所定の据え付け位置に支持されて使用される。投光器１０の光源である放電ランプ２０はメタルハライドランプであるため、高輝度であるばかりでなく色の再現性に優れており、競技場等のような屋外での照明として適している。
【００４４】
放電ランプ２０から放射された光は、ケース本体１１内部の補助凹面鏡１６ないし凹面鏡２１によって前方へ反射され、凹面鏡２１の開口部を通じて所望の配光が得られるように照射される。凹面鏡２１の開口部は前面カバー２２で覆われており、ケース本体１１内に水や埃等の異物が浸入するのを防いでいる。また、投光器１０の照射方向は、アーム４０の上下にあるアジャスタ機構によって上下方向および水平方向に適宜調整することができる。
【００４５】
本投光器１０によれば、前記前面カバー２２を覆う保護網２４とは別に、ケース本体１１内の放電ランプ２０と前面カバー２２との間に、放電ランプ２０の破裂時における破片を受け止める衝撃吸収網３０が設けられている。これにより、放電ランプ２０が万一破裂した際に、その破片は前面カバー２２に直接衝突することなく、衝撃吸収網３０によって受け止められる。
【００４６】
従って、放電ランプ２０の大きな破片が前面カバー２２に直接衝突することはない。仮に、放電ランプ２０の破片が衝撃吸収網３０を通過したとしても、前面カバー２２が割れる程の衝撃を受けることはなく、割れたとしてもヒビが入る程度で済む。これにより、前面カバー２２が割れた細かな破片が保護網２４をすり抜けて外部に落下する虞はなく、より十分な安全性を確保することができる。特に、屋外の競技場等のように人が多く集まる場所では安全性の確保が重要となる。
【００４７】
図７に示すように衝撃吸収網３０は、前面側へ向って出っ張るドーム状に形成されている。このような衝撃吸収網３０の形状によれば、高温となる放電ランプ２０の放射方向に対してなるべく距離を取ることができる。また、放電ランプ２０の破片を、その飛散方向に対してほぼ垂直となる角度で確実に受け止めることができる。
【００４８】
また、衝撃吸収網３０のドーム状の外周側には、図６、図７に示すように網目のない切欠部３５が設けられている。これにより、放電ランプ２０の破裂時に前方に向って飛び出す破片は、主として衝撃吸収網３０の網目のある部位である正方形部３３で受け止められて、前面カバー２２に強い力が加わる略垂直方向からの衝突は吸収される。
【００４９】
一方、放電ランプ２０の破片は、衝撃吸収網３０の外周側の切欠部３５を通過する可能性はあるが、放電ランプ２０の通常の発光時における放射光をなるべく妨げないで済み、光束低下を極力防止することができる。放電ランプ２０の破片が万一、衝撃吸収網３０の外周側の切欠部３５を通過したとしても、かかる破片は凹面鏡２１に衝突して衝撃が緩和されたり、飛散する角度的にも前面カバー２２に強く衝突する虞はない。
【００５０】
ここで正方形部３３の形状的な利点としては、金網を裁断しやすい等の製造上の理由のほか、リング３１の円形の内周縁の間に必然的に隙間が生じる反面、四隅のコーナー部分ではカバー範囲が広がるという点が掲げられる。このように衝撃吸収網３０の簡易な構造であれば、材料コストおよび製造コストが嵩むことも防止することができる。なお、衝撃吸収網３０の網目寸法は、保護網２４よりも細かく設定されており、放電ランプ２０の細かな破片もなるべく受け止められるようになっている。
【００５１】
図１に示すように衝撃吸収網３０は、ケース本体１１の前枠部１２と基体部１３との間に挟持された状態で取り付ける。これにより、ネジ等の締結部品を使用することなく、衝撃吸収網３０を簡単に取り付けることができる。詳しく言えば図６に示すように、衝撃吸収網３０のリング３１に沿って等間隔に設けられている各フック３６を、図４，図５に示すように基体部１３を開いた状態で、凹面鏡２１の後端縁に掛止して、前枠部１２の後端開口に衝撃吸収網３０を仮止めする。
【００５２】
その後、前枠部１２側に仮止めされた衝撃吸収網３０の上から基体部１３を合わせるように閉じることで、衝撃吸収網３０の取り付けに関してはネジ等の特別な締結部品を使用することなく、ワンタッチで取り付けることができる。このように、従来品のケース本体１１の構造を何ら追加加工することなく、そのまま利用することができる。しかも、ネジ等の締結部品は使用せずに、仮止めにより確実に位置決めすることができ、基体部１３で押さえ込むように閉じるだけで、非常に簡易かつ迅速に取り付けることができる。
【００５３】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、光源である放電ランプ２０としてメタルハライドランプを使用した例を説明したが、他に例えば、高圧水銀ランプ、高圧ナトリウムランプ等を使用しても良い。なお、投光器１０から前面化粧枠２３を省いた構成も考えられる。
【産業上の利用可能性】
【００５４】
本発明に係る投光器は、屋外の競技場のほか、店舗外観のライトアップや看板照明を始め駐車場、展示場、工場の作業用スポット等と幅広い用途に利用することができる。
【符号の説明】
【００５５】
１０…投光器
１１…ケース本体
１２…前枠部
１３…基体部
１４…ヒンジ
１５…ソケット
１６…補助凹面鏡
２０…放電ランプ
２１…凹面鏡
２２…前面カバー
２３…前面化粧枠
２４…保護網
３０…衝撃吸収網
３１…リング
３２…金網
３３…正方形部
３４…脚部
３５…切欠部
３６…フック
４０…アーム
４１…台座
【図１】
0005513222.tif 000002
【図２】
0005513222.tif 000003
【図３】
0005513222.tif 000004
【図４】
0005513222.tif 000005
【図５】
0005513222.tif 000006
【図６】
0005513222.tif 000007
【図７】
0005513222.tif 000008